(57)【要約】      （修正有）【課題】専用充電器にそれぞれ接続しなくても様々な電子製品に同時に充電可能に構成される無線充電機能付きアダプタを提供する。【解決手段】無線充電機能付きアダプタは、主に、本体１００に発射回路１４０が設けられ、本体に受信回路を有する電子装置を位置決めすることができ、発射回路により受信回路に交流電力を無線伝送方式で発送し、受信回路を介して該電子装置に内蔵された二次電池に充電することによって、専用充電器にそれぞれ接続しなくても少なくとも１つの電子製品に同時充電を可能とする。【選択図】図１
0003169751.tif 000002
【実用新案登録請求の範囲】
【請求項１】
受信回路が設けられた少なくとも１つの電子装置に用いられる無線充電機能付きアダプタであって、
電源ユニットを有し、前記電子装置に結合されアダプタとする本体と、
前記本体に設けられた少なくとも１つの発射回路とを備え、
前記電源ユニットは、前記発射回路に電気を供給し、前記発射回路により該電気を交流信号に変換するとともに、前記電子装置の受信回路に該交流信号を前記発射回路により発送し、前記受信回路は、該交流信号を電気に変換して充電可能となることを特徴とする無線充電機能付きアダプタ。
【請求項２】
前記本体は、ベースとカバーとを有し、前記電源ユニットが前記ベースに接続され、前記カバーが前記ベースの側縁に接続され、前記発射回路が前記ベースと前記カバーのうちいずれか一方に設けられたことを特徴とする請求項１に記載の無線充電機能付きアダプタ。
【請求項３】
前記電子装置が前記ベースと前記カバーのうちいずれか一方に結合されたことを特徴とする請求項２に記載の無線充電機能付きアダプタ。
【請求項４】
前記カバーが前記ベースの側縁に枢着されたことを特徴とする請求項２に記載の無線充電機能付きアダプタ。
【請求項５】
前記本体と前記電子装置とが、凹凸溝による位置決め、磁気による位置決め、音響制御による位置決め及び光源による位置決めのうちいずれか一方で結合されたことを特徴とする請求項１に記載の無線充電機能付きアダプタ。
【請求項６】
前記本体と前記電子装置とが、磁気による位置決めで位置決めされ、前記本体は、誘磁体と、磁気導体部材と、放熱シートとを含み、前記磁気導体部材が前記誘磁体と前記放熱シートとの間に設けられたことを特徴とする請求項５に記載の無線充電機能付きアダプタ。
【請求項７】
前記発射回路は、前記電源ユニットに接続され、前記電源ユニットからの電気を交流信号に変換する振動分周回路と、前記振動分周回路に接続され、前記振動分周回路により変換された該交流信号を増幅する駆動増幅回路と、前記駆動増幅回路に接続され、前記駆動増幅回路により増幅された該交流信号を同調させる一次発射共振回路と、前記一次発射共振回路に接続され、前記一次発射共振回路により同調された交流信号を前記受信回路に発送する発射コイルとを含むことを特徴とする請求項１に記載の無線充電機能付きアダプタ。
【請求項８】
前記発射回路は、前記発射コイルに接続され、前記発射コイルからの交流信号を制御調節回路にフィードバックするフィードバック検知回路と、前記フィードバック検知回路及び前記振動分周回路に接続され、前記振動分周回路の振動頻度を調節する制御調節回路とをさらに含むことを特徴とする請求項７に記載の無線充電機能付きアダプタ。
【請求項９】
前記受信回路は、前記発射回路からの交流信号を受信する受信誘導コイルと、前記受信誘導コイルに接続され、前記受信誘導コイルにより受信した該交流信号を同調する二次受信共振回路と、前記二次受信共振回路に接続され、前記二次受信共振回路により同調された該交流信号を整流、定圧されるとともに、該交流信号を電気に変換するＡＣ/ＤＣ整流平滑定電圧回路と、前記ＡＣ/ＤＣ整流平滑定電圧回路に接続され、前記ＡＣ/ＤＣ整流平滑定電圧回路により変換された電気を蓄える二次電池とを含むことを特徴とする請求項１に記載の無線充電機能付きアダプタ。
【考案の詳細な説明】
【技術分野】
【０００１】
本考案は、充電装置に関し、特に、アダプタなどの関連領域に適用できる充電装置に関する。
【背景技術】
【０００２】
近年、科学技術の持続的な進歩につれて、電子製品に対する要求も一段高くなり、特に、消費型電子製品を重点として、従来の体積の大きい電子製品（例えば、光ディスクプレヤ、家庭用電話または卓上型パソコンなど）が携帯可能かつ効率の高い電子製品（例えば、マルチメディアプレヤ（MPEG Audio Layer-3;MP3）、携帯電話またはノートブックなど）にコンパクト化され、ライフスタイルがより効率的になってきた。
【０００３】
上記のマルチメディアプレヤ、携帯電話などの携帯式電子製品は、使用時に要する電気が、例えば、ニッケル水素電池やリチウム電池などの二次電池の利用が大半を占めている。二次電池は、主に、充電装置により充電を行っている。該充電装置は、ＡＣアダプタとプラグとを有し、ＡＣアダプタがプラグと電源コードで接続され、また、ＡＣアダプタに二次電池を収納するための充電用凹溝が設けられ、プラグが電源コンセントに差し込まれることによって、充電時に要する電圧または電流を供給するように構成されている。また、ノートブックは、ＡＣアダプタで電源コンセントに接続して、該ノートブックが必要とする電圧または電流をＡＣアダプタで供給するようになっている。
しかしながら、上記の携帯式電子製品は、ＡＣアダプタまたは二次電池によって必要とする電気を供給しなければならないので、外出の際にこれらの携帯式電子製品を利用しようとする場合には、異なるＡＣアダプタまたは専用充電器を携帯しなければならなく、外出やビジネス活動の際に持ち難くなり、使用の利便性が低下する。
また、上記の充電装置またはＡＣアダプタは、充電に必要な電気を電源コードで該二次電池に接続して転送されるので、使用範囲が限られる。
【考案の開示】
【考案が解決しようとする課題】
【０００４】
上記を鑑みて、本考案の創作者は、専念に研究や設計、組み立てをし、携帯に便利で、且つ使用範囲に制限のない無線充電機能付きアダプタの提供を期することは、本考案が創作しようとする動機である。
【０００５】
本考案の主な目的は、専用充電器にそれぞれ接続しなくても様々な電子製品に同時に充電可能に構成される無線充電機能付きアダプタを提供することにある。
【０００６】
本考案の次の目的は、無線充電可能で使用範囲の制限を回避できる目的を達成する無線充電機能付きアダプタを提供することにある。
【課題を解決するための手段】
【０００７】
前記目的を達成するため、本考案による無線充電機能付きアダプタは、受信回路が設けられた少なくとも１つの電子装置に用いられる無線充電機能付きアダプタであって、電源ユニットを有し、前記電子装置に結合されアダプタとする本体と、前記本体に設けられた少なくとも１つの発射回路とを備え、前記電源ユニットは、前記発射回路に電気を供給し、前記発射回路により該電気を交流信号に変換するとともに、前記電子装置の受信回路に該交流信号を前記発射回路により発送し、前記受信回路は、該交流信号を電気に変換して充電することができる。
よって、専用充電器にそれぞれ接続しなくても少なくとも１つの電子製品に同時充電可能となり、且つ、充電器の電源コードによる使用範囲への制限の問題が避けられ、その使用利便性の効果が向上される。
【０００８】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【図面の簡単な説明】
【０００９】
【図１】図１は、本考案による無線充電機能付きアダプタの第１実施例の構造を示す斜視図である。
【図２】図２は、本考案による無線充電機能付きアダプタの第１実施例の構造を示す断面図である。
【図３】図３は、本考案による無線充電機能付きアダプタの第１実施例を示す使用状態図である。
【図４】図４は、本考案による無線充電機能付きアダプタの第１実施例を示す回路ブロック図である。
【図５】図５は、本考案による無線充電機能付きアダプタの第２実施例の構造の開き状態を示す斜視図である。
【図６】図６は、本考案による無線充電機能付きアダプタの第２実施例の構造の閉じ状態を示す斜視図である。
【図７】図７は、本考案による無線充電機能付きアダプタの第２実施例を示す使用状態図である。
【図８】図８は、本考案による無線充電機能付きアダプタの第３実施例の構造の開き状態を示す斜視図である。
【図９】図９は、本考案による無線充電機能付きアダプタの第３実施例の構造の閉じ状態を示す斜視図である。
【考案を実施するための形態】
【００１０】
＜第１実施例＞
図１〜図４は、それぞれ、本考案による無線充電機能付きアダプタの第１実施例を示す斜視図、断面図、使用状態図及びその回路ブロック図である。
図１〜図４に示すように、無線充電機能付きアダプタは、発射回路１４０が設けられた本体１００を有し、ユーザは、受信回路２１０が設けられた電子装置２００を本体１００に位置決めすることによって、無線伝送方式で充電動作を行うことができる。
【００１１】
本体１００は、アダプタ（Adapter）であり、本体１００は、接続部材１５０と、誘磁体１６０と、磁気導体部材１７０と、放熱シート１８０とを含む。本体１００の一方側には誘磁体１６０が設けられ、誘磁体１６０と放熱シート１８０との間には磁気導体部材１７０が設けられ、本体１００には少なくとも１つの発射回路１４０が設けられる。電源ユニット１３０は、発射回路１４０に電気を供給し、発射回路１４０により該電気を交流信号に変換するとともに、電子装置２００の受信回路２１０に該交流信号を発射回路１４０により無線で発送し、受信回路２１０は、該交流信号を電気に変換して電気を蓄えて電子装置２００に供給する。
【００１２】
発射回路１４０は、電源ユニット１２０に接続する振動分周回路１４１と、振動分周回路１４１に接続する駆動増幅回路１４２と、駆動増幅回路１４２に接続する一次発射共振回路１４３と、一次発射共振回路１４３に接続する発射コイル１４４とを含み、振動分周回路１４１により電源ユニット１３０からの電気を交流信号に変換し、該交流信号が駆動増幅回路１４２により増幅された後に、増幅された交流信号が一次発射共振回路１４３により同調され、さらに、発射コイル１４４から受信回路２１０に伝送され、該交流信号が磁気導体部材１７０により集中的に発送され、本体１００が使用時に生じる熱が放熱シート１８０により放熱される。
【００１３】
また、発射回路１４０は、さらに、発射コイル１４４に接続するフィードバック検知回路１４５と、フィードバック検知回路１４５及び振動分周回路１４１に接続する制御調節回路１４６とを含み、フィードバック検知回路１４５により発射コイル１４４からの交流信号を制御調節回路１４６にフィードバックして、振動分周回路１４１の振動頻度を制御調節回路１４６により調節して、最適な同調品質を取得する。
【００１４】
該電子装置２００は、マルチメディアプレヤ、携帯電話まなどの携帯式電子製品である。電子装置２００は、凹凸溝による位置決め（例えば、電子装置２００及び本体１００に、対応する凹溝と凸溝がそれぞれ設けられ）や、磁気による位置決め（例えば、本体１００及び電子装置２００に、対応する正、負極誘磁体がそれぞれ設けられ）、音響制御による位置決め（例えば、本体１００及び電子装置２００に、対応する音源センサがそれぞれ設けられ）、及び光源による位置決め（例えば、本体１００及び電子装置２００に、対応する光センサがそれぞれ設けられ）などの方法で本体１００に位置決めすることができる。電子装置２００に設けられた受信回路２１０は、受信誘導コイル２１１と、受信誘導コイル２１１に接続する二次受信共振回路２１２と、二次受信共振回路２１２に接続するＡＣ/ＤＣ整流平滑定電圧回路２１３と、ＡＣ/ＤＣ整流平滑定電圧回路２１３に接続する二次電池２１４とを含み、受信誘導コイル２１１により発射回路１１０からの交流信号を受信して、該交流信号が二次受信共振回路２１２により同調されるとともに、該交流信号がＡＣ/ＤＣ整流平滑定電圧回路２１３により整流、定圧され、該交流信号を電気に変換させて、二次電池２１４により電気を蓄えて電子装置２００に電気を供給する。
【００１５】
本実施例では、本体１００は、ノートブック（Notebook;NB）のＡＣアダプタであり、本体１００には発射回路１４０と誘磁体１６０（例えば、磁石）と磁気導体部材１７０と放熱シート１８０とが設けられる。本体１００の両端に電源ユニット１３０と接続部材１５０とがそれぞれ接続される。本体１００がノートブック３００に接続部材１５０により電気的に接続される。
ユーザが、誘磁体２２０が設けられた電子装置２００（例えば、マルチメディアプレヤ、携帯電話）を充電しようとするときは、電子装置２００の誘磁体２２０と本体１００の誘磁体１６０とが互いに吸引することにより、電子装置２００を本体１００に位置決めさせる。電源ユニット１３０を電源コンセント４００に差し込んで、電源ユニット１３０により発射回路１４０に電気を供給し、該電気が交流信号に発射回路１４０により変換されるとともに、該発射回路１４０の発射コイル１４４を介して、各電子装置２００の受信回路２１０に該交流信号を発送し、受信回路２１０を充電して電子装置２００に電気を供給する。
すなわち、本考案による機器の多用途化の設計によって、専用充電器にそれぞれ接続しなくても少なくとも１つの電子製品に同時充電可能となり、且つ、充電器の電源コードによる使用範囲の制限の問題を回避できて、その使用の利便性が向する。
【００１６】
＜第２実施例＞
図５〜図７は、それぞれ、本考案による無線充電機能付きアダプタの第２実施例の構造の開き状態を示す斜視図、閉じ状態を示す斜視図及びその使用状態図である。図５〜図７に示すように、本実施例は第１実施例とほぼ同じである。主に、本実施例では本体１００が、ベース１１０とカバー１２０とを有し、カバー１２０がベース１１０の側縁にベース１１０に対して移動可能、又は回転可能に設けられる。すなわち、カバー１２０がベース１１０から離れる方向に移動又は回転する場合に、ベース１１０とカバー１２０とが開く状態となり（図５に示すように）、電子装置２００をベース１１０またはカバー１２０に位置決めさせることができる。
すなわち、電子装置２００がベース１１０のみに位置決めされるか、電子装置２００がカバー１２０のみに位置決めされるか、或いは、ベース１１０及びカバー１２０に電子装置２００がそれぞれ位置決めされることになり、カバー１２０がベース１１０への方向に移動又は回転する場合に、カバー１２０がベース１１０の表面に閉じられた状態となる（図６に示すように）点で異なっている。
【００１７】
本実施例では、カバー１２０がベース１１０の一側縁に枢着され、カバー１２０がベース１１０から離れる方向に回転でき、ベース１１０とカバー１２０とが開く状態となり、ベース１１０及びカバー１２０に２つの電子装置２００が位置決めされ、各電子装置２００が即時に充電される。
ユーザが使用する必要ない場合には、カバー１２０をベース１１０の方向に回転させて、カバー１２０をベース１１０上に閉じる。このようにユーザのニーズに応じてカバー１２０が開閉可能となり、携帯に便利で、収納がし易いといった利点を備える。
【００１８】
＜第３実施例＞
図８〜図９は、それぞれ、本考案による無線充電機能付きアダプタの第３実施例の構造の開き状態を示す斜視図、及び閉じ状態を示す斜視図である。
図８〜図９に示すように、本実施例は第２実施例とほぼ同一であり、主に、本体１００は、ベース１１０と２つのカバー１２０とを有する。２つのカバー１２０はベース１１０の両側縁にそれぞれ設けられる。各カバー１２０はベース１１０から離れる方向に移動又は回転して、ベース１１０と各カバー１２０とが開く状態となり、少なくとも２つの電子装置２００をベース１１０及び各カバー１２０にそれぞれ位置決めさせて、各電子装置２００を即時に充電可能となり、ユーザが使用する必要ない場合に、各カバー１２０をベース１１０への方向に移動または回転させて、カバー１２０がベース１１０上に閉じられるようになり、携帯便利及び収納し易い利点を備える点で異なっている。
【００１９】
以上のように、本考案による無線充電機能付きアダプタは、主に、本体１００に発射回路１４０が設けられ、ユーザが受信回路２１０を有する電子装置２００を充電しようとするとき、電子装置２００を本体１００に位置決めさせ、発射回路１４０により受信回路２１０に交流信号を無線伝送方式で発送し、受信回路２１０を充電し、電気を蓄えて電子装置２００に供給することによって、多用途化の設計特徴を有する。専用充電器にそれぞれ接続しなくても少なくとも１つの電子製品に同時に充電可能となる。且つ、携帯に便利で収納がし易く、充電器の電源コードによる使用範囲の制限の問題を回避できて、その使用の利便性が向上するといった効果がある。
【００２０】
以上の記載は単に本考案の好ましい実施例に過ぎず、本考案の実用新案登録請求の範囲を限定するものではなく、当該技術分野における通常の知識を有する者が、本考案の技術分野の中で、適当に変更や修飾などを実施できるが、それらの実施が本考案の主張範囲内に納入されるべきことは言うまでもないことである。
【符号の説明】
【００２１】
１００・・・・・本体
１１０・・・・・ベース
１２０・・・・・カバー
１３０・・・・・電源ユニット
１４０・・・・・発射回路
１４１・・・・・振動分周回路
１４２・・・・・駆動増幅回路
１４３・・・・・一次発射共振回路
１４４・・・・・発射コイル
１４５・・・・・フィードバック検知回路
１４６・・・・・制御調節回路
１５０・・・・・接続部材
１６０・・・・・誘磁体
１７０・・・・・磁気導体部材
１８０・・・・・放熱シート
２００・・・・・電子装置
２１０・・・・・受信回路
２１１・・・・・受信誘導コイル
２１２・・・・・二次受信共振回路
２１３・・・・・ＡＣ/ＤＣ整流平滑定電圧回路
２１４・・・・・二次電池
２２０・・・・・誘磁体
３００・・・・・ノートブック
４００・・・・・電源コンセント
【図１】
0003169751.tif 000003
【図２】
0003169751.tif 000004
【図３】
0003169751.tif 000005
【図４】
0003169751.tif 000006
【図５】
0003169751.tif 000007
【図６】
0003169751.tif 000008
【図７】
0003169751.tif 000009
【図８】
0003169751.tif 000010
【図９】
0003169751.tif 000011
【手続補正書】
【提出日】平成23年6月13日(2011.6.13)
【手続補正１】
【補正対象書類名】実用新案登録請求の範囲
【補正対象項目名】全文
【補正方法】変更
【補正の内容】
【実用新案登録請求の範囲】
【請求項１】
受信回路が設けられた少なくとも１つの電子装置に用いられる無線充電機能付きアダプタであって、
電源ユニットを有し、前記電子装置を位置決めする本体と、
前記本体に設けられた少なくとも１つの発射回路とを備え、
前記電源ユニットは、前記発射回路に電気を供給し、前記発射回路により該電気を交流信号に変換するとともに、前記発射回路により前記電子装置の受信回路に交流信号を発し、前記受信回路が該交流信号を電気に変換して前記受信回路の二次電池に蓄電し、
記受信回路は前記発射回路からの交流信号を受信する受信誘導コイルと、
前記受信誘導コイルに接続され、前記受信誘導コイルにより受信した該交流信号を同調する二次受信共振回路と、
前記二次受信共振回路に接続され、前記二次受信共振回路により同調された該交流信号を整流、定圧されるとともに、該交流信号を電気に変換するＡＣ／ＤＣ整流平滑定電圧回路と、
前記ＡＣ／ＤＣ整流平滑定電圧回路に接続され、前記ＡＣ／ＤＣ整流平滑定電圧回路により変換された電気を蓄える二次電池とを含むことを特徴とする無線充電機能付きアダプタ。
【請求項２】
前記本体は、ベースとカバーとを有し、前記電源ユニットが前記ベースに接続され、前記カバーが前記ベースの側縁に接続され、前記発射回路が前記ベースと前記カバーのうちいずれか一方に設けられたことを特徴とする請求項１に記載の無線充電機能付きアダプタ。
【請求項３】
前記電子装置が前記ベースと前記カバーのうちいずれか一方に設けたことを特徴とする請求項２に記載の無線充電機能付きアダプタ。
【請求項４】
前記カバーが前記ベースの側縁に枢着されたことを特徴とする請求項２に記載の無線充電機能付きアダプタ。
【請求項５】
電子装置及び本体にそれぞれ対応するように凹溝と凸溝と設けた凹凸溝による位置決め、電子装置及び本体にそれぞれ対応するように正、負極誘磁体を設けた磁気による位置決め、電子装置及び本体にそれぞれ対応するように音源センサを設けた音響制御による位置決め、または電子装置及び本体にそれぞれ対応するように光センサを設けた光センサによる位置決めのうちいずれかひとつにより前記本体と前記電子装置とが位置決めされることを特徴とする請求項１に記載の無線充電機能付きアダプタ。
【請求項６】
前記本体と前記電子装置とが、磁気により位置決めされ、前記本体は、誘磁体と、磁気導体部材と、放熱シートとを含み、前記磁気導体部材が前記誘磁体と前記放熱シートとの間に設けられたことを特徴とする請求項５に記載の無線充電機能付きアダプタ。
【請求項７】
前記発射回路は、前記電源ユニットに接続され、前記電源ユニットからの電気を交流信号に変換する振動分周回路と、前記振動分周回路に接続され、前記振動分周回路により変換された該交流信号を増幅する駆動増幅回路と、前記駆動増幅回路に接続され、前記駆動増幅回路により増幅された該交流信号を同調させる一次発射共振回路と、前記一次発射共振回路に接続され、前記一次発射共振回路により同調された交流信号を前記受信回路に発送する発射コイルとを含むことを特徴とする請求項１に記載の無線充電機能付きアダプタ。
【請求項８】
前記発射回路は、前記発射コイルに接続され、前記発射コイルからの交流信号を制御調節回路にフィードバックするフィードバック検知回路と、前記フィードバック検知回路及び前記振動分周回路に接続され、前記振動分周回路の振動頻度を調節する制御調節回路とをさらに含むことを特徴とする請求項７に記載の無線充電機能付きアダプタ。